(57)【要約】【課題】外壁パネル等のコンクリート製パネルを立てた状態で安定して吊り上げるための吊り上げ用治具を提供する。【解決手段】この吊り上げ用治具１０は、パネル１に埋設されたリップ付き溝形鋼４に係合する係合部材１１と、この係合部材１１に取り付けられて、クレーンワイヤ等の吊り具Ｗを掛止する掛止部材１２とからなり、係合部材１１は、溝形鋼４におけるパネル表面に露出した一対のリップ片５、５の外面に跨って被せられる基材２０と、溝形鋼４の溝部内に挿入されて、一対のリップ片５、５の内面に跨って当接される係止材２１と、基材２０に回転自在に貫通支持されて、係止材２１が固定された回転軸２２とを備え、基材２０に、一対のリップ片５、５間の隙間６に嵌め込まれる嵌合突起２６が設けられたことを特徴とする。【選択図】図５
2009126599.tif 000002
【特許請求の範囲】
【請求項１】
コンクリート製のパネル（１）に埋設されたリップ付き溝形鋼（４）に係合する係合部材（１１）と、この係合部材（１１）に取り付けられて、クレーンワイヤ等の吊り具（Ｗ）を掛止する掛止部材（１２）とからなり、前記係合部材（１１）は、前記溝形鋼（４）におけるパネル表面に露出した一対のリップ片（５）（５）の外面に跨って被せられる基材（２０）と、前記溝形鋼（４）の溝部内に挿入されて、前記一対のリップ片（５）（５）の内面に跨って当接される係止材（２１）と、前記基材（２０）に回転自在に貫通支持されて、前記係止材（２１）が固定された回転軸（２２）とを備え、前記基材（２０）に、前記一対のリップ片（５）（５）間の隙間（６）に嵌め込まれる嵌合突起（２６）が設けられたことを特徴とするパネルの吊り上げ用治具。
【請求項２】
前記掛止部材（１２）は、前記係合部材（１１）を前記溝形鋼（４）に係合した状態において、パネル表面に対して斜め方向に立ち上がるようにして、前記基材（２０）に固定されている請求項１記載のパネルの吊り上げ用治具。
【請求項３】
前記基材（２０）の嵌合突起（２６）は、前記一対のリップ片（５）（５）の厚みと同等の厚み及び前記隙間（６）の幅と同等の幅を有し、前記回転軸（２２）に固定された前記係止材（２１）が前記嵌合突起（２６）に対して面接触しながら回転可能とされている請求項１又は２記載のパネルの吊り上げ用治具。
【請求項４】
請求項１乃至３のいずれかに記載の吊り上げ用治具（１０）の係合部材（１１）を、パネル（１）の溝形鋼（４）に係合するとともに、前記吊り上げ用治具（１０）の掛止部材（１２）にクレーンワイヤ等の吊り具（Ｗ）を掛止して、この状態で、前記吊り具（Ｗ）を引き上げることによって、前記溝形鋼（４）が横向きになるように前記パネル（１）を立てた状態で吊り上げるようにしたことを特徴とするパネルの吊り上げ方法。
【発明の詳細な説明】
【技術分野】
【０００１】
この発明は、外壁パネル等のコンクリート製パネルを、立てた状態で吊り上げるための吊り上げ用治具及び吊り上げ方法に関する。
【背景技術】
【０００２】
従来より、外壁パネルとしてリップ付き溝形鋼を埋設したものが知られており、このような外壁パネルの吊り上げに際しては、溝形鋼に吊り上げ用治具を取り付けて、この吊り上げ用治具にクレーンワイヤ等の吊り具を掛止して吊り上げるようにしている（例えば、特許文献１参照）。
【０００３】
上記の吊り上げ用治具は、その係合部材を溝形鋼のリップ片に引っ掛けることで、溝形鋼に取り付けられており、寝かせた状態の外壁パネルをそのまま上方に吊り上げるために使用される。
【０００４】
一方、リップ付き溝形鋼を埋設した外壁パネルの脱型に伴う吊り上げに使用される吊り上げ用治具ではあるが、その係合部材によって溝形鋼のリップ片を挟み込むことで、溝形鋼に取り付けるようにしたものがあり、この場合、寝かせた状態の外壁パネルが多少傾いても吊り上げることができる（例えば、特許文献２参照）。
【０００５】
【特許文献１】実開昭６３−１９０２８０号公報
【特許文献２】特開２００１−２９３７１７号公報
【発明の開示】
【発明が解決しようとする課題】
【０００６】
外壁パネルの表面塗装に際して、コンベアによって搬送される外壁パネルを反転させたり、また外壁パネルの保管や運搬に際して、外壁パネルをラック等に立て掛けて積載するような場合、寝かせた状態の外壁パネルを起こしながら立てた状態で吊り上げることがある。
【０００７】
このような外壁パネルの吊り上げに際しては、外壁パネルの溝形鋼に取り付けた吊り上げ用治具が横転した状態で持ち上げられて、吊り上げ用治具に偏心した力が作用するので、吊り上げ用治具を溝形鋼に対してずれが生じないように取り付ける必要がある。
【０００８】
ところが、上記の吊り上げ用治具は、その係合部材を溝形鋼のリップ片に引っ掛ける、或いは、係合部材によって溝形鋼のリップ片を挟み込むことによって、溝形鋼に取り付けているので、このような吊り上げ用治具を使用して外壁パネルを立てた状態で吊り上げた場合、吊り上げ用治具が溝形鋼に対してずれ動き易く、これにより吊り上げた外壁パネルがぐらついたり、場合によっては外壁パネルが脱落してしまうといった危険性があった。
【０００９】
この発明は、上記の不具合を解消して、パネルを立てた状態で安定して吊り上げるための吊り上げ用治具及び吊り上げ方法を提供することを目的とする。
【課題を解決するための手段】
【００１０】
上記課題を解決するため、この発明の吊り上げ用治具１０は、コンクリート製のパネル１に埋設されたリップ付き溝形鋼４に係合する係合部材１１と、この係合部材１１に取り付けられて、クレーンワイヤ等の吊り具Ｗを掛止する掛止部材１２とからなり、前記係合部材１１は、前記溝形鋼４におけるパネル表面に露出した一対のリップ片５、５の外面に跨って被せられる基材２０と、前記溝形鋼４の溝部内に挿入されて、前記一対のリップ片５、５の内面に跨って当接される係止材２１と、前記基材２０に回転自在に貫通支持されて、前記係止材２１が固定された回転軸２２とを備え、前記基材２０に、前記一対のリップ片５、５間の隙間６に嵌め込まれる嵌合突起２６が設けられたことを特徴とする。
【００１１】
具体的に、前記掛止部材１２は、前記係合部材１１を前記溝形鋼４に係合した状態において、パネル表面に対して斜め方向に立ち上がるようにして、前記基材２０に固定されている。
【００１２】
また、前記基材２０の嵌合突起２６は、前記一対のリップ片５、５の厚みと同等の厚み及び前記隙間６の幅と同等の幅を有し、前記回転軸２２に固定された前記係止材２１が前記嵌合突起２６に対して面接触しながら回転可能とされている。
【００１３】
この発明の吊り上げ方法は、上記の吊り上げ用治具１０の係合部材１１を、パネル１の溝形鋼４に係合するとともに、吊り上げ用治具１０の掛止部材１２にクレーンワイヤ等の吊り具Ｗを掛止して、この状態で、前記吊り具Ｗを引き上げることによって、前記溝形鋼４が横向きになるように前記パネル１を立てた状態で吊り上げるようにしたことを特徴とする。
【発明の効果】
【００１４】
この発明の吊り上げ用治具を使用すれば、その係合部材をパネルの溝形鋼に係合させたときには、基材及び係止材によって溝形鋼のリップ片を内外から挟み込むとともに、基材の嵌合突起が溝形鋼のリップ片の隙間に嵌り込んだ状態となることから、吊り上げ用治具を溝形鋼に対してずれが生じないようにしっかりと取り付けることができる。これにより、吊り上げ用治具の掛止部材に掛止した吊り具を引き上げて、溝形鋼が横向きになるようにパネルを立てた状態で吊り上げたときに、吊り上げ用治具が横転した状態で持ち上げられて、吊り上げ用治具に偏心した力が作用しても、パネルをぐらつかせたり、脱落させることなく、安定して吊り上げることができる。
【００１５】
しかも、係合部材の係止材は、基材に貫通支持された回転軸に固定されているので、基材の表面側において回転軸を回転操作して係止材を回転させるだけで、係合部材を溝形鋼のリップ片に係止させることができ、これによって吊り上げ用治具の着脱作業を容易に行うことができる。
【００１６】
また、吊り具を掛止する掛止部材は、パネル表面に対して斜め方向に立ち上がっているので、吊り具のパネル表面との干渉をなくして、パネル表面の破損を防止することができるとともに、パネルの横方向へのふらつきを抑えながら安定して吊り上げることができる。
【００１７】
さらに、基材の嵌合突起は、溝形鋼のリップ片の厚みと同等の厚み及びリップ片間の隙間の幅と同等の幅を有しているので、嵌合突起をリップ片間の隙間にきっちりと収まるように嵌め込むことができる。しかも、この嵌合突起に対して係止材を面接触させながら回転させることで、係止材を傾かせることなく溝形鋼のリップ片の内面にきっちりと当接させることができる。これによって、係合部材の溝形鋼に対するがたつきを確実に防止して、より安定したパネルの吊り上げが可能となる。
【発明を実施するための最良の形態】
【００１８】
以下、この発明の実施形態を図面に基づいて詳細に説明する。図７は、コンクリート製の外壁パネル１を示している。この外壁パネル１は、外形が略長方形のコンクリート基材３に、その長手方向に沿って一対のリップ付き溝形鋼４、４を埋め込んでなるもので、それら溝形鋼４、４の一対のリップ片５、５がパネル表面に露出した状態となっている。なお、外壁パネル１としては、上記のように一対の溝形鋼４、４を埋設したものだけに限らず、単一の溝形鋼４を埋設したものであっても良い。
【００１９】
この発明の一実施形態に係る吊り上げ用治具１０は、上記の外壁パネル１を寝かせた状態から立てた状態で吊り上げるために使用されるものであって、図１及び図２に示すように、外壁パネル１の溝形鋼４に係合する係合部材１１と、この係合部材１１に取り付けられて、クレーンワイヤ等の吊り具Ｗを掛止する掛止部材１２とからなる。
【００２０】
係合部材１１は、溝形鋼４における一対のリップ片５、５の外面に跨って被せられる基材２０と、溝形鋼４の溝部内に挿入されて、一対のリップ片５、５の内面に跨って当接される係止材２１と、基材２０に回転自在に貫通支持されて、係止材２１が固定された回転軸２２とを備えている。
【００２１】
基材２０は、略長方形のプレート２４と、このプレート２４の表面中央に突設された短円筒状のボス２５と、プレート２４の裏面に突設された嵌合突起２６とを備えている。嵌合突起２６は、一対のリップ片５、５間の隙間６に嵌め込まれて、溝形鋼４に対する係合部材１１のがたつきを防止するためのもので、リップ片５、５の厚みと同等の厚み及び隙間６の幅と同等の幅を有し、基材２０の短手方向中央において長手方向全長に亘って設けられている。
【００２２】
係止材２１は、相対する一対のコーナー部分が斜めに切り欠かれた略長方形のプレート状に形成され、その長手方向の長さがリップ片５、５間の隙間６の幅よりも長く、短手方向の長さがリップ片５、５間の隙間６の幅よりも短くなっている。この係止材２１は、回転軸２２を回転させることで、基材２０の嵌合突起２６に対して面接触しながら回転軸２２周りに回転するようになっている。
【００２３】
回転軸２２は、基材２０のボス２５に挿通されて、プレート２４及び嵌合突起２６を貫通して配されている。この回転軸２２のボス２５よりも突出した一端部には、回転軸２２の抜けを防止するとともに、回転軸２２を回転操作するためのシャフト３０が貫通支持されている。回転軸２２の他端部には、係止材２１が固定されている。
【００２４】
掛止部材１２は、略Ｕ字形に形成され、その両端部が互いに離間する方向に折り曲げられている。そして、この掛止部材１２は、係合部材１１を溝形鋼４に係合した状態において、パネル表面に対して斜め方向に立ち上がるようにして、すなわち基材２０のプレート２４に対して斜め上方へ立ち上がるようにして、その両端部が基材２０のプレート２４の長手方向に沿った端部に溶接等により固定されている。
【００２５】
次に、上記吊り上げ用治具１０を用いた外壁パネル１の吊り上げ方法について説明する。まず、吊り上げ用治具１０の係合部材１１を、寝かせた状態の外壁パネル１の一方の溝形鋼４に係合する。
【００２６】
この係合に際しては、図３に示すように、係合部材１１の基材２０のプレート２４を、溝形鋼４のリップ片５、５の外面に跨るように上方から被せることで、係止材２１を溝形鋼４の溝部内に挿入するとともに、基材２０の嵌合突起２６を溝形鋼４のリップ片５、５間の隙間６に嵌め込む。この状態で、図４に示すように、シャフト３０を水平方向に約９０゜回して回転軸２２を回転させると、係止材２１が基材２０の嵌合突起２６に面接触しながら約９０゜水平回転して、溝形鋼４のリップ片５、５の内面に跨って当接して、係合部材１１が溝形鋼４に係合する。この係合状態においては、基材２０及び係止材２１によって溝形鋼４のリップ片５、５を内外から挟み込むとともに、基材２０の嵌合突起２６が溝形鋼４のリップ片５、５間の隙間６にきっちりと嵌り込んだ状態となっており、これによって係合部材１１の溝形鋼４に対するがたつきが防止されている。
【００２７】
そして、吊り上げ用治具１０の掛止部材１２に、吊り具Ｗの下端の掛け具Ｗ１を引っ掛けて、この状態で吊り具Ｗを引き上げると、図５及び図６に示すように、溝形鋼４、４が横向きになるようにして、外壁パネル１が立てた状態で吊り上げられる。
【００２８】
このとき、外壁パネル１の溝形鋼４に係合した吊り上げ用治具１０が横転した状態で持ち上げられて、吊り上げ用治具１０に偏心した力が作用することになるが、上記のように吊り上げ用治具１０は溝形鋼４に対してずれが生じないようにしっかりと取り付けられているから、外壁パネル１をぐらつかせたり、脱落させることなく、安定して吊り上げることができる。しかも、吊り具Ｗを掛止した掛止部材１２は、パネル表面に対して斜め方向に立ち上がっているので、吊り具Ｗのパネル表面との干渉をなくして、パネル表面の破損を防止することができるとともに、外壁パネル１の横方向へのふらつきを抑えながら吊り上げることができる。なお、この吊り上げに際しては、図６に示すように、２個の吊り上げ用治具１０、１０を使用しているが、外壁パネル１が小型の場合には、１個の吊り上げ用治具１０を使用して吊り上げても良い。
【００２９】
この吊り上げ作業が終了した後に、吊り上げ用治具１０を外壁パネル１から取り外すには、上記係合状態からシャフト３０を約９０゜回して回転軸２２を回転させて、係止材２１を約９０゜回転させ、この状態で係止材２１を溝形鋼４の溝部から抜き出すようにすれば良い。
【００３０】
この発明は、上記実施形態に限定されるものではなく、この発明の範囲内で上記実施形態に多くの修正及び変更を加え得ることは勿論である。例えば、吊り上げ用治具を使用して吊り上げるパネルとしては、外壁パネルに限らず、床パネル等のその他パネルであっても良い。また、係合部材の基材に設けられた嵌合突起としては、上記のような形状のものだけに限らず、リップ片間の隙間に嵌め込まれてがたつきを抑えるものであれば、どのような形状のものであっても良い。
【図面の簡単な説明】
【００３１】
【図１】この発明の一実施形態に係る吊り上げ用治具の斜視図である。
【図２】吊り上げ用治具を裏面側から見た斜視図である。
【図３】吊り上げ用治具の係合途中の状態を示す縦断面図である。
【図４】吊り上げ用治具の係合後の状態を示す縦断面図である。
【図５】外壁パネルの吊り上げ状態を示す縦断面図である。
【図６】外壁パネルの吊り上げ状態を示す正面図である。
【図７】外壁パネルの斜視図である。
【符号の説明】
【００３２】
１・・パネル、４・・溝形鋼、５・・リップ片、６・・隙間、１０・・吊り上げ用治具、１１・・係合部材、１２・・掛止部材、２０・・基材、２１・・係止材、２２・・回転軸、２６・・嵌合突起、Ｗ・・吊り具
【図１】
2009126599.tif 000003
【図２】
2009126599.tif 000004
【図３】
2009126599.tif 000005
【図４】
2009126599.tif 000006
【図５】
2009126599.tif 000007
【図６】
2009126599.tif 000008
【図７】
2009126599.tif 000009